(57)【要約】【課題】投射する映像の再生が終了した後にファン冷却のため待たされる時間を短縮することのできるプロジェクタを提供する。【解決手段】入力される映像信号に基づき映像を投射する投射部と、投射部を冷却する冷却手段１７０と、投射部が投射する映像の時間長を取得する再生時間取得手段１２１と、投射部が投射する映像の再生位置を取得する再生位置取得手段１２２と、冷却手段１７０の冷却性能を可変制御する制御部１２０と、を備え、制御部１２０は、再生時間取得手段１２１より前記時間長を取得し、再生位置取得手段１２２より前記再生位置を取得し、その再生位置が前記時間長から求められる当該映像の終端に近づくと、冷却手段１７０の冷却性能を所定の規則に従って上げる。【選択図】図３
2009198766.tif 000002
【特許請求の範囲】
【請求項１】
入力される映像信号に基づき映像を投射する投射部と、
前記投射部を冷却する冷却手段と、
前記投射部が投射する映像の時間長を取得する再生時間取得手段と、
前記投射部が投射する映像の再生位置を取得する再生位置取得手段と、
前記冷却手段の冷却性能を可変制御する制御部と、
を備え、
前記制御部は、
前記再生時間取得手段より前記時間長を取得し、
前記再生位置取得手段より前記再生位置を取得し、
その再生位置が前記時間長から求められる当該映像の終端に近づくと、
前記冷却手段の冷却性能を所定の規則に従って上げる
ことを特徴とするプロジェクタ。
【請求項２】
前記再生位置取得手段は、
前記投射部が投射する映像の再生が開始されるとカウントを開始するタイマーで構成されている
ことを特徴とする請求項１に記載のプロジェクタ。
【請求項３】
映像情報を再生してその内容に対応した映像信号を出力する映像再生部を備え、
前記再生時間取得手段は、
前記映像再生部が再生する映像情報に基づき前記時間長を取得する
ことを特徴とする請求項１に記載のプロジェクタ。
【請求項４】
前記再生位置取得手段は、
前記映像再生部が再生する映像情報に基づき前記再生位置を取得する
ことを特徴とする請求項３に記載のプロジェクタ。
【発明の詳細な説明】
【技術分野】
【０００１】
本発明は、発熱量の大きい投射部を冷却する手段を備えたプロジェクタに関するものである。
【背景技術】
【０００２】
従来、冷却用ファンに関し、『シアタ等で使用されるプロジェクタが冷却用ファンにより発する騒音をコンテンツの音量に合わせて制御する。』ことを目的とした技術として、『シアタ内部の音量を検出し、音量が大きいシーンの場合、ファンの回転数を上げて風量を最大にし、また、シアタ内部の音量が小さいシーンの場合は、ファンの回転数を落として風量を下げ、シアタ内の音量と比例してファンの風量を変化させることにより、相対的にプロジェクタの騒音を低減する。』というものが提案されている（特許文献１）。
【０００３】
【特許文献１】特開２００４−２３３４６３号公報（要約）
【発明の開示】
【発明が解決しようとする課題】
【０００４】
プロジェクタが備える冷却ファンは、プロジェクタ内部が高温である間はプロジェクタの電源をＯＦＦにしても回転を継続することがある。この場合、プロジェクタの使用を終了した後もしばらく待たされるので、ユーザにとって不便である。
【０００５】
本発明は、上記のような課題を解決するためになされたものであり、投射する映像の再生が終了した後にファン冷却のため待たされる時間を短縮することのできるプロジェクタを提供することを目的とする。
【課題を解決するための手段】
【０００６】
本発明に係るプロジェクタは、入力される映像信号に基づき映像を投射する投射部と、前記投射部を冷却する冷却手段と、前記投射部が投射する映像の時間長を取得する再生時間取得手段と、前記投射部が投射する映像の再生位置を取得する再生位置取得手段と、前記冷却手段の冷却性能を可変制御する制御部と、を備え、前記制御部は、前記再生時間取得手段より前記時間長を取得し、前記再生位置取得手段より前記再生位置を取得し、その再生位置が前記時間長から求められる当該映像の終端に近づくと、前記冷却手段の冷却性能を所定の規則に従って上げる。
そのため、投射映像の再生が終了してから当該プロジェクタの主電源をＯＦＦできるようになるまでの時間を短縮し、ユーザの待ち時間を削減することができるので、ユーザにとって便宜である。
【０００７】
また、本発明に係るプロジェクタにおいて、前記再生位置取得手段は、前記投射部が投射する映像の再生が開始されるとカウントを開始するタイマーで構成されている。
そのため、当該プロジェクタの外部から投射映像の再生位置を取得できないときでも、当該プロジェクタが自ら再生位置をカウントにより取得することができ、これをもって、再生位置が当該映像の終端に近づいたことを検知して、上記と同様の効果を発揮することができる。
【０００８】
また、本発明に係るプロジェクタは、映像情報を再生してその内容に対応した映像信号を出力する映像再生部を備え、前記再生時間取得手段は、前記映像再生部が再生する映像情報に基づき前記時間長を取得する。
そのため、当該プロジェクタの外部から投射映像の時間長を取得しなくとも、容易に当該映像の時間長を取得し、上記と同様の効果を発揮することができる。
【０００９】
また、本発明に係るプロジェクタにおいて、前記再生位置取得手段は、前記映像再生部が再生する映像情報に基づき前記再生位置を取得する。
そのため、当該プロジェクタの外部から投射映像の再生位置を取得しなくとも、容易に当該映像の再生位置を取得し、上記と同様の効果を発揮することができる。また、当該映像が巻き戻しや一時停止された場合でも、これを容易に検出することができる。
【発明を実施するための最良の形態】
【００１０】
実施の形態１．
図１は、本発明の実施の形態１に係るプロジェクタ１００の機能ブロック図である。
プロジェクタ１００は、操作パネル１１１、操作信号入力部１１２、制御部１２０、再生時間取得部１２１、再生位置取得部１２２、映像信号処理部１３０、光源１４０、液晶ライトバルブ駆動部１５１、液晶ライトバルブ１５２、投射光学系１５３、ネットワークＩ／Ｆ１６０、冷却ファン１７０を備える。
【００１１】
操作パネル１１１は、ユーザがプロジェクタ１００に対する操作指示を入力するためのボタン等を備えており、操作内容に対応した操作信号を生成して操作信号入力部１１２に出力する。
操作信号入力部１１２は、操作パネル１１１が出力した操作信号を受け取り、デジタル信号に変換するなど、制御部１２０が処理するのに適した形式に変換して、制御部１２０に出力する。
【００１２】
制御部１２０は、操作信号入力部１１２から操作信号を受け取り、これに対応した制御動作を行う。また、ネットワークＩ／Ｆ１６０が受信した制御信号を受け取り、後述の動作を行う。また、映像信号処理部１３０、光源１４０、冷却ファン１７０の動作を制御する。
【００１３】
再生時間取得部１２１は、制御部１２０が受信した制御信号に基づき、投射光学系１５３が投射する映像の再生時間を取得する。
再生位置取得部１２２は、制御部１２０が受信した制御信号に基づき、投射光学系１５３が投射する映像の再生位置を取得する。
再生時間取得部１２１と再生位置取得部１２２は、独立した機能部として構成することもできるし、図１に示すように制御部１２０の一機能として構成することもできる。
【００１４】
制御部１２０は、その機能を実現する回路デバイスのようなハードウェアで構成することもできるし、ＣＰＵ（Ｃｅｎｔｒａｌ  Ｐｒｏｃｅｓｓｉｎｇ  Ｕｎｉｔ）やマイコンのような演算装置と、その動作を規定するソフトウェアとで構成することもできる。
再生時間取得部１２１と再生位置取得部１２２は、その態様に応じて適宜必要な構成を有する。
【００１５】
映像信号処理部１３０は、プロジェクタ１００の外部機器等から与えられる入力映像信号を受け取るインターフェースを備え、その入力映像信号と制御部１２０の指示に基づいて出力映像信号を生成して液晶ライトバルブ駆動部１５１に出力する。
【００１６】
光源１４０は、最終的にユーザへ表示する映像のための光源供給部であり、液晶ライトバルブ１５２に向けて光を射出する。
液晶ライトバルブ駆動部１５１は、映像信号処理部１３０が出力する出力映像信号に基づいて、液晶ライトバルブ１５２を駆動する。
液晶ライトバルブ１５２は、複数の図示しない画素がマトリクス状に形成されており、液晶ライトバルブ駆動部１５１により各画素の透過率が調整されることで、光源１４０から射出された光を変調し、投射光学系１５３に向けて射出する。
液晶ライトバルブ１５２から射出された光は、投射光学系１５３によってスクリーン２００上に拡大投射される。
投射光学系１５３には、投射光の焦点を変更可能なフォーカス機構と、投射光の拡大率を変更可能なズーム機構とが備えられている。
【００１７】
特許請求の範囲における「投射部」は、光源１４０、本実施の形態１では液晶ライトバルブ駆動部１５１、液晶ライトバルブ１５２、及び投射光学系１５３がこれに相当する。
【００１８】
ネットワークＩ／Ｆ１６０は、プロジェクタ１００の外部機器等から与えられる制御信号を受け取るインターフェースであり、受け取った制御信号を制御部１２０に出力する。
冷却ファン１７０は、回転により風を発生して光源１４０等を風冷する。また、制御部１２０の指示に基づき風量を可変して冷却性能を可変できるように構成されている。
本実施の形態１における「冷却手段」は、冷却ファン１７０がこれに相当するが、これは１例であり、その他の冷却性能を可変可能な冷却手段を用いることもできる。
【００１９】
以上、本実施の形態１に係るプロジェクタ１００の構成について説明した。
次に、本実施の形態１に係るプロジェクタ１００の動作について説明する。
【００２０】
図２は、本実施の形態１に係るプロジェクタ１００の使用態様を示す図である。
コンピュータ３００は、映像情報媒体４００が格納している映像情報を再生してその内容に対応した映像信号を生成し、通信線等のネットワークを介して、プロジェクタ１００に入力映像信号として提供する。
プロジェクタ１００は、コンピュータ３００から供給される入力映像信号に基づき、スクリーン２００にその映像を投射する。これにより、映像情報媒体４００に格納されている映像情報が、スクリーン２００上で再生される。
【００２１】
また、コンピュータ３００は、映像情報に付帯する情報を、制御信号としてプロジェクタ１００に送信する。プロジェクタ１００のネットワークＩ／Ｆ１６０は、これを受信して制御部１２０に出力する。この制御信号には、以下のような情報が含まれる。
【００２２】
（１）映像の時間長
一般に、コンピュータ３００は、映像情報媒体４００が格納している映像情報を再生する際に、その総時間長を取得することができる。コンピュータ３００は、この総時間長の数値を制御信号に含めて、プロジェクタ１００に送信する。
再生時間取得部１２１は、この総時間長の数値を取得し、図示しないメモリ等の記憶装置に格納しておく。
【００２３】
（２）映像の再生位置
また、コンピュータ３００は、映像情報媒体４００が格納している映像情報を再生する際に、その再生位置を取得することができる。ここでいう再生位置とは、映像の再生を開始してからの時間的な位置のことであり、映像のタイムコードと概ね同義である。
コンピュータ３００は、映像情報を再生している最中に、例えば１秒毎などの所定時間間隔で、この再生位置の数値を制御信号に含めて、プロジェクタ１００に送信する。
再生位置取得部１２２は、この再生位置の数値を取得し、図示しないメモリ等の記憶装置に格納しておく。新たな再生位置を取得すると、従前の値を更新する。
【００２４】
このような制御信号の送受信により、プロジェクタ１００は、スクリーン２００に投射している映像の時間長や再生位置を知ることができる。したがって、再生位置が映像の終端に近づくと、これを察知することができ、その後は次の図３で説明するような冷却制御動作を行う。
【００２５】
図３は、冷却ファン１７０の冷却レベルの経時変化を示す図である。
制御部１２０は、再生位置取得部１２２がメモリ等に格納した再生位置情報を逐次監視する等により、投射映像の再生位置が当該映像の終端に近づいていることを察知することができる。
制御部１２０は、通常は冷却ファン１７０の風量を通常レベルに設定し、通常の冷却レベルで光源１４０等を風冷しているが、再生位置が当該映像の総時間長の例えば９０％程度の位置まで達すると、風量を高レベルに設定して冷却レベルを上げる。
冷却レベルを上げることで、映像再生終了後の冷却時間を短縮することを狙う。
【００２６】
映像の再生が終了した後の風冷動作は、通常と同様である。
例えば、図示しない温度センサをプロジェクタ１００の本体内に備えておき、その検出温度値が所定の基準値以下になった段階で、その旨を報知音やＬＥＤ（Ｌｉｇｈｔ  Ｅｍｉｔｔｉｎｇ  Ｄｉｏｄｅ）の点灯などによりユーザに知らせる。
ユーザは、その通知を受けてプロジェクタ１００の主電源をＯＦＦし、片づけを行う。
【００２７】
以上のように、本実施の形態１に係るプロジェクタ１００によれば、制御部１２０は、再生時間取得部１２１が取得した映像総時間長と、再生位置取得部１２２が取得した映像再生位置とに基づき、再生位置が当該映像の終端に近づいたことを検知すると、冷却ファン１７０の冷却性能を上げる。
これにより、映像の再生が終了すると、その時点で光源１４０等の冷却がある程度進んでいることになるので、映像の再生が終了してからプロジェクタ１００の電源をＯＦＦできる状態になるまでの待ち時間が短縮され、ユーザにとって便宜である。
【００２８】
実施の形態２．
実施の形態１では、ネットワークＩ／Ｆ１６０が受信する制御信号に、映像の総時間長や再生位置を含めておき、再生時間取得部１２１や再生位置取得部１２２は、これに基づき当該映像の総時間長や再生位置を取得することを説明した。
これ以外の取得手法としては、例えば以下のようなものが考えられる。
【００２９】
（１）映像情報媒体４００が格納している映像情報は、例えばＭＰＥＧ等の標準化された形式に従って整形されている場合がある。この場合、その映像情報は所定の再生ブロックに分割され、各再生ブロックの再生時間がヘッダ情報として再生ブロック毎に映像情報内に記録されている場合がある。
このような場合は、映像情報内のヘッダ情報に記録されている各再生ブロックの再生時間をネットワークＩ／Ｆ１６０を介してコンピュータ３００より送信し、プロジェクタ１００の再生位置取得部１２２は、これを取得することで各再生ブロックの再生時間を得ることができる。
映像の総時間長についても、同様に映像情報内のヘッダ情報に記録されている場合があるので、これをネットワークＩ／Ｆ１６０を介してコンピュータ３００より送信し、再生時間取得部１２１がこれを取得してもよい。
【００３０】
（２）コンピュータ３００は、入力映像信号をプロジェクタ１００に送信する際に、映像のタイムコード情報を併せて送信する。プロジェクタ１００の再生位置取得部１２２は、そのタイムコード情報に基づき、当該映像の再生位置を得る。
【００３１】
もし、映像の総時間長や再生位置が取得できないときは、制御部１２０はいずれの時点で冷却ファン１７０の冷却レベルを上げればよいか判断できないため、この場合は通常の動作と同様に、プロジェクタ１００の使用を停止した後、冷却ファン１７０の回転が終了するまで、電源ＯＦＦを待つことになる。他の実施の形態でも同様である。
【００３２】
映像の総時間長や再生位置が取得できないときとは、例えば静止画像を投射するときやプレゼンテーション資料を投射するときなど、動画像以外の映像をプロジェクタ１００で投射する場合が考えられる。
また、制御信号の形式が、制御部１２０、再生時間取得部１２１、再生位置取得部１２２の規定の形式と合致していないときも、同様である。
【００３３】
実施の形態３．
図４は、本発明の実施の形態３に係るプロジェクタ１００の機能ブロック図である。
本実施の形態３に係るプロジェクタ１００は、実施の形態１の図１で説明した再生位置取得部１２２に代えて、タイマー１２３を備える。その他の構成は図１と同様であるため、説明を省略する。
【００３４】
タイマー１２３は、例えばマイコンの内部クロック等の時間カウント機能を用いて構成され、制御部１２０の指示に基づき時間カウントを開始し、カウント結果を図示しないメモリ等に逐次格納するか、もしくは制御部１２０に戻す。
【００３５】
次に、本実施の形態３に係るプロジェクタ１００の動作を、下記ステップ（１）〜（４）で説明する。
【００３６】
（１）ユーザがコンピュータ３００上で映像情報媒体４００に格納されている映像の再生を開始すると、入力映像信号がコンピュータ３００よりプロジェクタ１００に送信され始めるとともに、再生を開始した旨の制御信号が、ネットワークＩ／Ｆ１６０を介してプロジェクタ１００に送信される。
また、映像の総時間長も制御信号に含まれており、再生時間取得部１２１がこれを取得するものとする。
【００３７】
（２）制御部１２０は、ネットワークＩ／Ｆ１６０が受信した制御信号を取得し、タイマー１２３にカウント開始を指示する。タイマー１２３は、カウント結果を図示しないメモリ等に逐次格納するか、もしくは制御部１２０に戻す。
（３）制御部１２０は、タイマー１２３のカウント結果を逐次取得し、映像の再生が開始されてからの経過時間を監視する。
（４）制御部１２０は、タイマー１２３のカウント結果が当該映像の総時間長の例えば９０％程度の位置まで達すると、実施の形態１の図３で説明したものと同様に冷却レベルの可変制御を行う。
【００３８】
以上のステップ（１）〜（４）の動作により、本実施の形態２に係るプロジェクタ１００は、実施の形態１と同様に、映像終了に合わせて冷却レベルを上げる動作を実行することができ、実施の形態１と同様の効果を発揮する。
特に、映像の再生位置がコンピュータ３００から得られないような場合には、プロジェクタ１００が自ら再生位置を取得する本実施の形態２の構成が奏効する。
【００３９】
ただし、ユーザがコンピュータ３００上で映像の巻き戻しや一時停止などを行った場合には、タイマー１２３のカウントと実際の再生位置とがズレてしまう可能性がある。この場合は、巻き戻しや一時停止を行った旨の制御信号を、コンピュータ３００からプロジェクタ１００に送信するなどして、タイマー１２３のカウントを戻したり一時停止したりする必要がある。
【００４０】
本実施の形態３において、映像再生を開始した旨の制御信号を受信してから、タイマー１２３のカウントを開始することを説明したが、入力映像信号を受信し始めたときにカウントを開始するようにしてもよい。
また、ユーザが操作パネル１１１や図示しないリモコンを操作することにより、カウントを開始するようにしてもよい。
いずれにしても、投射映像の総時間長は、プロジェクタ１００の外部から入力する必要がある。
【００４１】
実施の形態４．
図５は、本発明の実施の形態４に係るプロジェクタ１００の機能ブロック図である。
本実施の形態４に係るプロジェクタ１００は、実施の形態１の図１で説明したネットワークＩ／Ｆ１６０に代えて、映像再生部１８０を備える。その他の構成は概ね図１と同様であるため、差異点以外の説明を省略する。
【００４２】
映像再生部１８０は、実施の形態１の図２で説明したような映像情報媒体４００を挿入するスロットを備え、同媒体に格納されている映像情報を再生して映像信号を生成し、映像信号処理部１３０に出力する。
映像再生部１８０は、例えばＤＶＤ（Ｄｉｇｉｔａｌ  Ｖｅｒｓａｔｉｌｅ  Ｄｉｓｃ）再生装置などを用いて構成することができる。
このような映像再生装置は、一般に映像の総時間長や再生位置を取得することができるので、これを再生時間取得部１２１や再生位置取得部１２２に提供すればよい。
【００４３】
再生時間取得部１２１は、映像再生部１８０が映像情報媒体４００から読み取った映像総時間長を取得することで、当該映像の総時間長を取得することができる。
再生位置取得部１２２は、映像再生部１８０が映像情報媒体４００から読み取った映像再生位置を取得することで、当該映像の再生位置を取得することができる。
【００４４】
本実施の形態５に係るプロジェクタ１００は、自らが映像情報を再生する機能を備えているため、外部から映像の総時間長や再生位置を取得しなくとも、自ら再生する映像の総時間長や再生位置を容易に取得できる。
また、ユーザが映像の巻き戻しや一時停止を行った場合でも、これを容易に検出し、正確な再生位置を得ることができる。
したがって、制御部１２０は、冷却ファン１７０の冷却性能を上げるべきタイミングを正確に把握できるので、映像再生を終了した後の冷却待ち時間を効果的に短縮することができる。
【００４５】
実施の形態５．
実施の形態１の図３において、冷却ファン１７０の冷却性能の経時変化例を示したが、これは１例であり、変化のさせ方はこれ以外でもよい。また、冷却性能を上げる時点は、冷却ファン１７０の性能等に応じて適宜最適に定めればよい。
【００４６】
１例として、図３のような冷却性能の経時変化を定義したデータをプロジェクタ１００が備える記憶装置に格納しておき、これを参照しながら冷却性能を可変することが考えられる。
この場合、記憶装置に格納しておく上記データを書き換えることで、冷却性能の可変仕様を変更することができ、プロジェクタ１００の使用態様に合わせた冷却性能可変仕様を自由に提供することができる。
【図面の簡単な説明】
【００４７】
【図１】実施の形態１に係るプロジェクタ１００の機能ブロック図である。
【図２】実施の形態１に係るプロジェクタ１００の使用態様を示す図である。
【図３】冷却ファン１７０の冷却レベルの経時変化を示す図である。
【図４】実施の形態３に係るプロジェクタ１００の機能ブロック図である。
【図５】実施の形態４に係るプロジェクタ１００の機能ブロック図である。
【符号の説明】
【００４８】
１００  プロジェクタ、１１１  操作パネル、１１２  操作信号入力部、１２０  制御部、１２１  再生時間取得部、１２２  再生位置取得部、１２３  タイマー、１３０  映像信号処理部、１４０  光源、１５１  液晶ライトバルブ駆動部、１５２  液晶ライトバルブ、１５３  投射光学系、１６０  ネットワークＩ／Ｆ、１７０  冷却ファン、１８０  映像再生部、２００  スクリーン、３００  コンピュータ、４００  映像情報媒体。
【図１】
2009198766.tif 000003
【図２】
2009198766.tif 000004
【図３】
2009198766.tif 000005
【図４】
2009198766.tif 000006
【図５】
2009198766.tif 000007